(57)【要約】    【課題】      本体を大型化することなく、表示部の大型化を実現し、しかも、ユーザにとって扱い易い携帯端末装置を提供すること。    【解決手段】  携帯端末装置１００を開いた状態で、キー操作部１０１及びカーソルボタン１０３が設けられた面と反対の面の略全面に、下部表示部１１２及び上部表示部１１３を設けたことにより、本体を大型化することなく、表示部の大型化することができる。また、キー操作部１０１及びカーソルボタン１０３が設けられた面と同一の面に表示部１０４を設けた。携帯端末装置１００を閉じた状態及び開いた状態の両方で、キー操作部１０１と同一の面に設けられた単一のカーソルボタン１０３を併用することにより、これらと反対の面に設けられる表示部をさらに大型化することができる。  【選択図】      図５
2005184267.tif 000002
【特許請求の範囲】
【請求項１】
携帯端末装置本体の第１の筐体と、
前記第１の筐体の第１の面に設けられる第１の表示手段と、
前記第１の面の裏側に位置する前記第１の筐体の第２の面に設けられ、かつ、前記携帯端末装置を操作する操作手段と、
を具備することを特徴とする携帯端末装置。
【請求項２】
前記第２の面に設けられる第２の表示手段と、
前記第１の表示手段又は前記第２の表示手段に前記操作手段の操作対象を切り替える切替手段と、
前記操作対象の切り替えに応じて前記操作手段を制御する制御手段と、
を具備することを特徴とする請求項１記載の携帯端末装置。
【請求項３】
さらに、第２の筐体と、
前記第２の筐体に設けられ前記第１の表示手段と重ねることができる第３の表示手段と、を具備し、
前記切替手段は、前記第１の表示手段、前記第２の表示手段又は前記第３の表示手段に前記操作手段の操作対象を切り替えることが可能であり、
前記制御手段は、前記操作対象の切り替えに応じて前記操作手段を制御することを特徴とする請求項２記載の携帯端末装置。
【請求項４】
前記第１の筐体と前記第２の筐体とが開閉自在又は回動自在に連結され、
前記第１の筐体と前記第２の筐体の位置関係を検出する検出手段を具備し、
前記切替手段は、検出された前記位置関係に応じて前記操作手段による前記操作対象の切り替えを自動的に行うことを特徴とする請求項３記載の携帯端末装置。
【請求項５】
前記第１の筐体と前記第２の筐体とが開閉自在に連結され、
前記検出手段は、前記第１の筐体と前記第２の筐体との開閉状態を検出し、
前記切替手段は、検出された前記開閉状態が開いた状態を示す時には前記操作手段の操作対象を前記第２の表示手段とし、かつ、前記開閉状態が閉じた状態を示す時には前記操作手段の操作対象を前記第１の表示手段又は前記第３の表示手段にすることを特徴とする請求項４記載の携帯端末装置。
【請求項６】
前記第１の筐体と前記第２の筐体とが回動自在に連結され、
前記検出手段は、前記第１の筐体と前記第２の筐体との回動の程度を検出し、
前記切替手段は、前記回動の程度が前記第１の筐体と前記第２の筐体とが略重なり合っていることを示す時には前記操作手段の操作対象を前記第２の表示手段とし、かつ、前記回動の程度が前記第１の筐体と前記第２の筐体とのなす角度が略１８０度であることを示す時には前記操作手段の操作対象を前記第１の表示手段又は前記第３の表示手段にすることを特徴とする請求項４記載の携帯端末装置。
【請求項７】
前記第１の表示手段、前記第２の表示手段又は前記第３の表示手段は、タッチパネルで構成され、
前記第１の表示手段、前記第２の表示手段又は前記第３の表示手段に映し出された画像に触れることにより触れた箇所の映像を拡大して映し出す画像拡大手段を具備することを特徴とする請求項３から請求項６のいずれか記載の携帯端末装置。
【請求項８】
前記第１の表示手段及び前記第３の表示手段に１つの画像を分割してパノラマ映像として映し出すパノラマ表示手段を具備し、
前記制御手段は、前記パノラマ表示手段の作動に応じて前記操作手段を制御することを特徴とする請求項３から請求項６のいずれか記載の携帯端末装置。
【請求項９】
前記第１又は第２の筐体に着脱可能に装着されているアンテナを具備し、
前記アンテナは、前記第１又は第２の筐体から脱却された状態で前記タッチパネルを操作する他の操作手段を構成することを特徴とする請求項７記載の携帯端末装置。
【発明の詳細な説明】
【技術分野】
【０００１】
本発明は、表示画面及び操作部を有する携帯端末装置に関する。
【背景技術】
【０００２】
携帯端末装置は、近年、通常の音声通信だけでなく、インターネット接続機能によるメールや画像の交換、さらには、ＴＶ電話機能などの映像閲覧機能が実現されている。このような携帯端末装置は、メールの文字情報やＷＥＢサイトの文字、画像及びＴＶ電話機や映像ストリーミングなどの映像情報などを見やすくするために、携帯端末装置の表示部の拡大が望まれるとともに、音声通信時の電話番号入力やメール交換時の文字入力の操作性、及びＷＥＢ閲覧時のＵＲＬ入力や画面のスクロールなどの操作性を向上させることが望まれている。
【０００３】
従来の携帯端末装置として、特許文献１に示されているものがある。この従来の携帯端末装置は、本体部とスライド部とから構成されている。本体部には、前面に、ユーザがキー操作によって所定の情報を入力するためのキー操作部と、小型の液晶表示部とが設けられている。また、スライド部には、前面に、所定の情報を表示する大型の液晶表示部が設けられている。そして、スライド部が、本体部の背面にスライド移動するように、本体部とスライド部にスライド機構が設けられている。このようにして、本体を大型化することなく、表示部の大型化を実現している。
【特許文献１】特開２００３−１６９１２０号公報
【発明の開示】
【発明が解決しようとする課題】
【０００４】
しかしながら、従来の携帯端末装置においては、スライド部が、本体部の背面に収納されている時には、通常の携帯端末装置と同程度の大きさであるが、スライド部が表に現れた状態では通常の状態の略２倍の長さとなるため、ユーザの手に余り、扱い難いという問題がある。
【０００５】
本発明は、かかる点に鑑みてなされたものであり、本体を大型化することなく、表示部の大型化を実現し、しかも、ユーザにとって扱い易い携帯端末装置を提供することを目的とする。
【課題を解決するための手段】
【０００６】
請求項１に係る携帯端末装置は、携帯端末装置本体の第１の筐体と、前記第１の筐体の第１の面に設けられる第１の表示手段と、前記第１の面の裏側に位置する前記第１の筐体の第２の面に設けられ、かつ、前記携帯端末装置を操作する操作手段と、を具備する構成を採る。
【０００７】
この構成によれば、第１の表示手段と操作手段とを筐体の反対の面に設けることにより、本体を大型化することなく、表示部の大型化を実現し、しかも、ユーザにとって扱い易い携帯端末装置を提供することができる。
【０００８】
請求項２に係る携帯端末装置は、請求項１記載の携帯端末装置において、前記第２の面に設けられる第２の表示手段と、前記第１の表示手段又は前記第２の表示手段に前記操作手段の操作対象を切り替える切替手段と、前記操作対象の切り替えに応じて前記操作手段を制御する制御手段と、を具備する構成を採る。
【０００９】
この構成によれば、請求項１の効果に加えて、操作手段と反対の面に設けられた第１の表示手段と同一の面に設けられた第２の表示手段とで操作手段を制御するので、ユーザが見ている画面において特に操作方法を意識することなく通常の感覚で操作することができるように制御できるため、操作性を向上することができる。
【００１０】
請求項３に係る携帯端末装置は、請求項２記載の携帯端末装置において、さらに、第２の筐体と、前記第２の筐体に設けられ前記第１の表示手段と重ねることができる第３の表示手段と、を具備し、前記切替手段は、前記第１の表示手段、前記第２の表示手段又は前記第３の表示手段に前記操作手段の操作対象を切り替えることが可能であり、前記制御手段は、前記操作対象の切り替えに応じて前記操作手段を制御する構成を採る。
【００１１】
この構成によれば、請求項２の効果に加えて、第３の表示手段は、第２の筐体に設けられて第１の筐体に設けられた第１の表示手段と重ねることができるので、本体をさらに大型化することなく、表示部の大型化を実現し、しかも、ユーザにとって扱い易い携帯端末装置を提供することができる。
【００１２】
請求項４に係る携帯端末装置は、請求項３記載の携帯端末装置において、前記第１の筐体と前記第２の筐体とが開閉自在又は回動自在に連結され、前記第１の筐体と前記第２の筐体の位置関係を検出する検出手段を具備し、前記切替手段は、検出された前記位置関係に応じて前記操作手段による前記操作対象の切り替えを自動的に行う構成を採る。
【００１３】
この構成によれば、請求項３の効果に加えて、切替手段が、検出される２つの筐体の位置関係により自動的に操作手段の操作対象を切り替えるので、ユーザが操作対象を切り替える操作を省くことができ、ユーザの操作の簡略化を実現することができる。
【００１４】
請求項５に係る携帯端末装置は、請求項４記載の携帯端末装置において、前記第１の筐体と前記第２の筐体とが開閉自在に連結され、前記検出手段は、前記第１の筐体と前記第２の筐体との開閉状態を検出し、前記切替手段は、検出された前記開閉状態が開いた状態を示す時には前記操作手段の操作対象を前記第２の表示手段とし、かつ、前記開閉状態が閉じた状態を示す時には前記操作手段の操作対象を前記第１の表示手段又は前記第３の表示手段にする構成を採る。
【００１５】
この構成によれば、請求項４の効果と同様に、切替手段が、検出される携帯端末装置の開閉状態により自動的に操作手段の操作対象を切り替えるので、ユーザが操作対象を切り替える操作を省くことができ、ユーザの操作の簡略化を実現することができる。
【００１６】
請求項６に係る携帯端末装置は、請求項４記載の携帯端末装置において、前記第１の筐体と前記第２の筐体とが回動自在に連結され、前記検出手段は、前記第１の筐体と前記第２の筐体との回動の程度を検出し、前記切替手段は、前記回動の程度が前記第１の筐体と前記第２の筐体とが略重なり合っていることを示す時には前記操作手段の操作対象を前記第２の表示手段とし、かつ、前記回動の程度が前記第１の筐体と前記第２の筐体とのなす角度が略１８０度であることを示す時には前記操作手段の操作対象を前記第１の表示手段又は前記第３の表示手段にする構成を採る。
【００１７】
この構成によれば、請求項４の効果と同様に、切替手段が、携帯端末装置を構成する２つの筐体が重なっている状態か又は２つの筐体のなす角度が略１８０度である状態かにより、自動的に操作手段の操作対象を切り替えるので、ユーザが操作対象を切り替える操作を省くことができ、ユーザの操作の簡略化を実現することができる。
【００１８】
請求項７に係る携帯端末装置は、請求項３から請求項６のいずれか記載の携帯端末装置において、前記第１の表示手段、前記第２の表示手段又は前記第３の表示手段は、タッチパネルで構成され、前記第１の表示手段、前記第２の表示手段又は前記第３の表示手段に映し出された画像に触れることにより触れた箇所の映像を拡大して映し出す画像拡大手段を具備する構成を採る。
【００１９】
この構成によれば、請求項３から請求項６の効果に加えて、前記第１の表示手段、前記第２の表示手段又は前記第３の表示手段がタッチパネルで構成され、これらの表示手段に映し出された画像に触れることにより触れた箇所の画像を拡大して映し出すことができるので、ユーザが見たい箇所の画像を見やすい大きさに拡大することができるため、ユーザのニーズに合わせた画像を提供することができる。
【００２０】
請求項８に係る携帯端末装置は、請求項３から請求項６のいずれか記載の携帯端末装置において、前記第１の表示手段及び前記第３の表示手段に１つの画像を分割してパノラマ映像として映し出すパノラマ表示手段を具備し、前記制御手段は、前記パノラマ表示手段の作動に応じて前記操作手段を制御する構成を採る。
【００２１】
この構成によれば、請求項３から請求項６の効果に加えて、パノラマ表示手段が表示手段及び第３の表示手段に１つの画像を分割してパノラマ映像として映し出し、制御手段がパノラマ映像手段の作動に応じてその態様に合わせて操作手段を制御するので、ユーザのニーズに合わせた画像を提供することができ、かつ、ユーザにとって扱い易い携帯端末装置を提供することができる。
【００２２】
請求項９に係る携帯端末装置は、請求項７記載の携帯端末装置において、前記第１又は第２の筐体に着脱可能に装着されているアンテナを具備し、前記アンテナは、前記第１又は第２の筐体から脱却された状態で前記タッチパネルを操作する他の操作手段を構成する構成を採る。
【００２３】
この構成によれば、請求項７の効果に加えて、アンテナが、筐体から脱却された状態でタッチパネルを操作する他の操作手段を構成するので、ユーザの操作を容易にすることができるとともに、携帯端末装置本体に他の操作手段のための収納部を設ける必要がないため装置を簡素化することができる。
【発明の効果】
【００２４】
本発明によれば、本体を大型化することなく、表示部の大型化を実現し、しかも、ユーザにとって扱い易い携帯端末装置を提供することができる。
【発明を実施するための最良の形態】
【００２５】
本発明の骨子は、携帯端末装置本体の筐体の第１の面に表示手段を設け、かつ、その第１の面の反対側にある筐体の第２の面に操作部を設けることである。
【００２６】
以下、本発明の実施の形態について図面を参照して詳細に説明する。
【００２７】
（一実施の形態）
図１は、本発明の一実施の形態に係る携帯端末装置１００を折り畳んだ状態を示す平面図である。図２は、携帯端末装置１００を折り畳んで横から見た状態を示す平面図である。図３は、携帯端末装置１００を開いた状態で図２において内側に隠れた面を示した平面図である。図４は、携帯端末装置１００を開いた状態で横から見た状態を示す平面図である。図５は、携帯端末装置１００を開いた状態で図３とは反対側から見た時の状態を示した平面図である。
【００２８】
携帯端末装置１００は、キー操作部１０１、マイク１０２、カーソルボタン１０３、表示部１０４、スピーカ１０５、アンテナ１０６、下部筐体１０８、上部筐体１０９、接続部１１１、下部表示部１１２及び上部表示部１１３を有する。
【００２９】
下部筐体１０８は、キー操作部１０１、マイク１０２、カーソルボタン１０３、表示部１０４、スピーカ１０５及びカメラ１０７を同一の面に有し、また、その裏側の面には下部表示部１１２を有する。
【００３０】
キー操作部１０１は、テンキーから構成される。マイク１０２は、利用者が自分の声を入力するために用いられる。カーソルボタン１０３は、画面上のカーソルの移動及びメニューの選択などに利用される。表示部１０４は、文章や画像等を画面上に表示する。スピーカ１０５は、利用者が聞き取る相手の音声を発生する。下部表示部１１２は、文章や画像等を画面上に表示する。
【００３１】
上部筐体１０９は、下部筐体１０８の下部表示部１１２と同じ側の面に、文章や画像等を画面上に表示する上部表示部１１３を有する。
【００３２】
図１及び図２に示すような携帯端末装置１００を折り畳んだ状態で、ユーザは、キー操作部１０１又はカーソルボタン１０３を用いて電話番号を入力する。このとき、入力した電話番号などは、簡単な文字列を表示する表示部１０４に表示される。このようにして、ユーザは、マイク１０２及びスピーカ１０５を用いて音声通話が可能となる。
【００３３】
図３から図５に示すような携帯端末装置１００を開いた状態で、ユーザは、カーソルボタン１０３を用いて、下部表示部１１２及び上部表示部１１３の画面上で所定の操作を行い、電子メールやインターネットなどを利用することができる。
【００３４】
図６は、携帯端末装置１００を開いた時に２つの表示部に最初に表示される画面の一例を示す図である。
【００３５】
図６では、下部表示部１１２に、カーソルボタン表示１２１とモード選択表示１２２とが表示されている。また、上部表示部１１３には、所定の待ち受け画面が表示されている。
【００３６】
ユーザは、モード選択表示１２２を用いて、使用するモードを選択する。このモード選択に関しては、ユーザは、下部表示部１１２及び上部表示部１１３とは反対側の携帯端末装置１００の面に設けられているカーソルボタン１０３を用いて、選択する。
【００３７】
このように、携帯端末装置１００を開いた状態で、キー操作部１０１及びカーソルボタン１０３が設けられた面と反対の面の略全面に、下部表示部１１２及び上部表示部１１３を設けたことにより、本体を大型化することなく、表示部を大型化することができる。また、携帯端末装置１００を閉じた状態及び開いた状態の両方で、キー操作部１０１と同一の面に設けられた単一のカーソルボタン１０３を併用することにより、これらと反対の面に設けられる表示部をさらに大型化することができるとともに、人指し指などで簡単にカーソル移動ができるので操作性を向上させることができる。
【００３８】
なお、これらの効果は、携帯端末装置１００が折り畳み式である場合に限られず、１つの筐体からなる携帯端末装置において、その筐体の１つの面に表示部を設け、その面の反対の面に操作部を設ける構成としても実現できる。
【００３９】
また、図６には、下部表示部１１２にカーソルボタン表示１２１が表示されている。このカーソルボタン表示１２１は、カーソルボタン１０３のどの位置（左右、上下、中央）を押しているかをユーザに知らせる機能を有する。これは、下部表示部１１２とは反対の面に設けられているカーソルボタン１０３の操作性を向上させるためのものである。
【００４０】
図７は、携帯端末装置１００の構成を示すブロック図である。図８は、カーソルボタン１０３の操作方向の制御部１２７による制御を説明するための図である。
【００４１】
図７に示すように、携帯端末装置１００は、状態検知部１２５、切替部１２６、制御部１２７、送信部１２８、受信部１２９、キー操作部１０１、カーソルボタン１０３、表示部１０４、下部表示部１１２、上部表示部１１３、画像拡大部１２７１及びパノラマ表示部１２７２を有する。
【００４２】
状態検知部１２５は、携帯端末装置１００が折り畳まれて閉じられた状態であるか、又は、開かれた状態にあるかを検知し、検知結果を端末状態情報として切替部１２６に与える。切替部１２６は、状態検知部１２５から受け取る端末状態情報に応じて、表示部１０４、下部表示部１１２、上部表示部１１３、又は、下部表示部１１２及び上部表示部１１３などのバリエーションの中で、制御部１２７から与えられる文字又は画像などを表示する場所としての表示画面を切り替える。ここでは、切替部１２６は、端末状態情報が閉じられた状態を示す時には、表示部１０４に画面を切り替え、また、端末状態情報が開いた状態を示す時には、下部表示部１１２及び上部表示部１１３に切り替えるように予め定められている。
【００４３】
なお、この切り替えは、キー操作部１０１又はカーソルボタン１０３に所定の操作を施すことにより、制御部１２７に画面を切り替えるための画面切替信号が与えられ、切替部１２６が制御部１２７から受け取る画面切替信号に応じて行われる態様としても良い。
【００４４】
制御部１２７は、ユーザがキー操作部１０１及びカーソルボタン１０３を用いて入力した電子メールやインターネットなどの情報を送信部１２８を介して送信する。また、制御部１２７は、ネットワークシステムから受け取る情報を、受信部１２９を介して受け取り、切替部１２６を介して表示部１０４、下部表示部１１２又は上部表示部１１３へ与える。
【００４５】
また、制御部１２７は、切替部１２６の画面切替に応じて、キー操作部１０１を操作できないようにし、また、カーソルボタン１０３を制御する。この制御部１２７のカーソルボタン１０３の制御について、図８を参照しつつ具体的に説明する。
【００４６】
図８（ａ）に示すように携帯端末装置１００が閉じられた状態では、上述の通り、切替部１２６は、表示画面を表示部１０４に切り替えている。そのため、キー操作部１０１及びカーソルボタン１０３による操作の結果は、表示部１０４に表示される。このとき、カーソルボタン１０３の操作方向は、図８（ａ）に矢印で示しているようになり、カーソルボタン１０３を押した方向にカーソルが移動する。
【００４７】
一方、図８（ｂ）に示すように携帯端末装置１００が開いた状態では、上述の通り、切替部１２６は、表示画面を下部表示部１１２及び上部表示部１１３に切り替えている。そのため、キー操作部１０１及びカーソルボタン１０３による操作の結果は、下部表示部１１２及び上部表示部１１３に表示される。このとき、カーソルボタン１０３の操作方向は、図８（ｂ）に矢印で示しているようになる。すなわち、制御部１２７は、携帯端末装置１００が閉じている状態と開いている状態とでカーソルボタン１０３の操作方向を左右逆転する制御を行っている。また、携帯端末装置１００が開いた状態では、制御部１２７は、キー操作部１０１を押して誤動作させないように、カーソルボタン１０３以外のキーのロックが自動的にかかるように制御している。
【００４８】
上記制御部１２７によるカーソルボタン１０３の操作方向の制御により、ユーザは、見ている画面において、カーソルを動かしたい方向にカーソルボタン１０３を押すとその方向にカーソルが動くので、特に操作方法を意識することなく通常の感覚で操作することができるため、操作性を向上することができる。
【００４９】
画像拡大部１２７１は、後述するズーム部選択矢印１７２により選択された表示部に映し出された映像の一部の情報を受け取り、その情報を基に拡大画像情報を生成して、この拡大された映像を表示する所定の表示手段に拡大画像情報を与える。
【００５０】
パノラマ表示部１２７２は、パノラマ映像の表示態様がカーソルボタン１０３で選択されると、下部表示部１１２及び上部表示部１１３に映し出すための画像情報を２つに分割して分割画像情報を生成し、下部表示部１１２及び上部表示部１１３の画面全面に画像が表示されるような倍率で各々の分割画像情報を拡大する。そして、パノラマ表示部１２７２は、拡大された分割画像情報をそれぞれ下部表示部１１２及び上部表示部１１３に与えて、これら下部表示部１１２及び上部表示部１１３が表示する。
【００５１】
なお、図７においては、制御部１２７が画像拡大部１２７１及びパノラマ表示部１２７２を具備する構成として示しているが、画像拡大部１２７１及びパノラマ表示部１２７２が単独の機能ブロックとして構成されても良い。
【００５２】
ところで、図６に示すように、携帯端末装置１００は、モードとして、メールモード、映像モード、カメラモード及びＷＥＢモードの４つのモードを搭載している。ユーザは、カーソルボタン１０３を用いてカーソルを移動させて、下部表示部１１２の画面上で上記４つのモードの中からモード選択することができる。以下、それぞれのモードについて説明する。
【００５３】
まず、メールモードについて説明する。ユーザが、メールモードを選択すると、図９に示すように新規メールの作成や受信メールのチェックを選択する画面が現れる。ユーザは、新規メールの作成を選択すると、図１０のように、下部表示部１１２及び上部表示部１１３にメール作成画面が現れ、裏面のカーソルボタン１０３で、下部表示部１１２に表示された文字入力ボード１３１を選択することにより、上部表示部１１３に表示されたメール作成画面上にメールの文章を作成することができる。
【００５４】
メール作成に際して、ユーザは、上部表示部１１３の下部に表示される辞書機能１３２を利用することにより、スムーズなメール作成を行うことができる。また、受信メールチェックに際しては、ユーザは、図１１に示すように、裏面のカーソルボタン１０３を用いて受信メール一覧表１４１から閲覧するメールを選択することにより、そのメールの内容を上部表示部１１３に表示して閲覧することができる。
【００５５】
つぎに、映像モードについて説明する。ユーザが図６の画面においてカーソルボタン１０３を用いて映像モードを選択すると、図１２に示すように、下部表示部１１２に現れる映像選択画面上にサポートされている映像が表示され、ユーザは、カーソルボタン１０３を用いて選択することができる。ここでは、ＴＶ放送受信と、インターネット上のストリーミングサーバからのストリーミングとがサポートされていることを示している。このうち、ユーザがＴＶ放送受信を選択すると、図１３に示すように、受信映像が上部表示部１１３に表示される。また、図１３に示すように、ユーザは、下部表示部１１２の上部に現れるチャネル選択用表示１５１をカーソルボタン１０３で選択することにより、チャネル選択も可能となる。一方、ストリーミング映像に関しては、図１３に示すＴＶ受信映像と同様に、ストリーミングサーバから送られてきた映像が、上部表示部１１３に表示される。
【００５６】
つぎに、カメラモードについて説明する。図１４に示すように、下部筐体１０８に設けられたカメラ１０７で撮影される映像は、上部表示部１１３に映し出される。また、下部表示部１１２には、カメラの撮影パラメータが表示され、ユーザは、カーソルボタン１０３を用いて選択し、パラメータを設定することができる。また、ユーザが図１４の撮影モードの文字入力を選択することにより、下部表示部１１２に文字入力ボードが現れる。ユーザは、図１５に示すように、撮影された映像に対してカーソルボタン１０３を用いて入力文字を選択し、撮影した画像の題目などのテキストを付加して保存することができる。
【００５７】
最後に、ブラウザ機能を用いたＷＥＢサイトの閲覧について説明する。図１６に示すように、上部表示部１１３には、ブラウザが表示される。下部表示部１１２には、文字入力ボードが表示される。ユーザは、この文字入力ボード１６１を利用し、カーソルボタン１０３を用いて入力文字を選択することにより、ブラウザにＵＲＬなどを入力してインターネット情報の閲覧が可能となる。
【００５８】
図１７は、映像閲覧モードの画面構成を示した図である。図１３では、１つの画面を用いて視聴映像を閲覧するのに対して、図１７では、下部表示部１１２及び上部表示部１１３の両方に映像を映し出すものである。上部表示部１１３では、送られてくる映像を画面いっぱいに映し出されているのに対し、下部表示部１１２では、映像の一部がズームされて映し出しだされている。図１７に示すように、ユーザが画面モード選択表示１７１でズーム映像を選択すると、送られてくる映像のズーム映像が表示される。ユーザは、ズーム部選択矢印１７２をカーソルボタン１０３で移動させることにより、ズームを行う部分を自由に選択することができる。
【００５９】
ここでは、ユーザが、上部表示部１１３において映し出している画像の一部をズーム部選択矢印１７２により選択すると、画像拡大部１２７１は、選択された箇所の画像情報を基に拡大画像情報を生成して、下部表示部１１２に与えている。下部表示部１１２は、この拡大画像情報に基づいてズームされた画像を表示する。また、下部表示部１１２において映し出している画像の一部をズーム部選択矢印１７２により選択すると、上部表示部１１３にズームされた画像が表示される。このようなズームの機能は、映像(動画)だけでなく、カメラで撮影した画像（静止画）に対してもサポートすることができる。
【００６０】
なお、ここでは、上部表示部１１３でズーム部選択矢印１７２により選択された画像部分を下部表示部１１２に拡大して表示するとして説明を行ったが、これに限られるものではなく、ズーム部選択矢印１７２により選択して画像部分が表示されている表示手段に拡大画像を表示する構成としても良い。
【００６１】
図１８は、映像閲覧モードの画面構成を示した図である。図１３では、１つの画面を用いて視聴映像を閲覧するのに対して、図１８では、図１７と同様に、下部表示部１１２及び上部表示部１１３の両方に映像が映し出されている。ただし、図１８では、下部表示部１１２及び上部表示部１１３には、それぞれ異なる映像が映し出されている。
【００６２】
図１８に示すように、ユーザは、画面モード選択表示１８１でマルチ映像を選択すると、２つの映像を同時に閲覧することができる。携帯端末装置１００に２チャネル分のチューナ機能が備えられている場合には、ユーザは、ＴＶ受信映像を閲覧する際に、同時に２つのチャネルを閲覧することができる。一方、携帯端末装置１００が現在の第三世代携帯システムでサポートされている回線交換とパケット交換などのように２つ以上の無線チャネルを使用できる場合には、ユーザは、インターネット経由のストリーミング映像を閲覧する際に、同時に２つのストリーミング映像を見ることができる。
【００６３】
なお、下部表示部１１２及び上部表示部１１３は、２つの異なる映像を様々な組み合わせで映し出すことができる。例えば、ユーザは、ＴＶ受信映像、インターネット経由のストリーミング、携帯端末装置１００内の蓄積記憶装置（例えばＳＤメモリ装置）又は蓄積記憶媒体（例えばメモリスティック）内で蓄積された蓄積映像などを組み合わせて選択することで、下部表示部１１２及び上部表示部１１３に２つの異なる映像を映し出すことができる。これにより、ユーザは、インターネット経由のストリーミング映像や蓄積デバイスの蓄積映像を閲覧しながら、受信したＴＶ映像の閲覧、例えば、野球の途中経過などをチェックすることも可能となる。
【００６４】
また、図１９に示すように、文字入力ボード及び映像閲覧画面を下部表示部１１２の１つの画面上に表示することにより、映像閲覧とブラウザ機能とを組み合わせたサービスが実現される。このため、ユーザは、例えば、ＴＶ受信映像やインターネット経由の映像に記載されているＷＥＢサイトにすぐにアクセスすることも可能となる。
【００６５】
図２０は、映像閲覧モードの他の画面構成を示した図である。図１３では、１つの画面を用いて視聴映像を閲覧するのに対して、図２０では、下部表示部１１２及び上部表示部１１３の２つの画面に映像が映し出されている。また、図２０では、１つの映像が２つに分割されて下部表示部１１２及び上部表示部１１３のそれぞれに映し出された横長の大画面映像（パノラマ映像）が実現されている。
【００６６】
このパノラマ映像は、ユーザが、パノラマ映像の表示態様をカーソルボタン１０３で選択することにより表示される。具体的には、ユーザが、パノラマ映像の表示態様をカーソルボタン１０３で選択すると、パノラマ表示部１２７２は、下部表示部１１２及び上部表示部１１３に映し出すための画像情報を２つに分割して分割画像情報を生成し、下部表示部１１２及び上部表示部１１３の画面全面に画像が表示されるような倍率で各々の分割画像情報を拡大する。そして、パノラマ表示部１２７２は、拡大された分割画像情報をそれぞれ下部表示部１１２及び上部表示部１１３に与えて、これら下部表示部１１２及び上部表示部１１３が表示する。
【００６７】
ここで、図２０に示すようなパノラマ映像は、横向きに表示される。そのため、ここでも、制御部１２７は、カーソルボタン１０３の操作方向を制御する必要がある。図２１を参照しつつ具体的に説明する。
【００６８】
ユーザが、カーソルボタン１０３でパノラマ表示態様を選択すると、カーソルボタン１０３から制御部１２７にパノラマ表示態様が選択された旨の情報が与えられる。制御部１２７は、この情報を受け取ると、カーソルボタン１０３の操作方向を図２１（ａ）に示したものから、図２１（ｂ）に矢印で示したようにする。すなわち、カーソルボタン１０３の操作方向の上下、左右の入れ替わる制御が、制御部１２７により行われている。
【００６９】
このように、制御部１２７のカーソルボタン１０３の操作方向の制御により、ユーザは、見ている画面において、カーソルを動かしたい方向にカーソルボタン１０３を押すとその方向にカーソルが動くので、特に操作方法を意識することなく通常の感覚で操作することができるため、操作性を向上することができる。
【００７０】
図２２は、アンテナ１０６の機能を説明するための図である。図２２では、下部表示部１１２に文字入力ボードが表示されている。また、ここでは、下部表示部１１２は、タッチパネル機能を有している。すなわち、ユーザは、下部表示部１１２の表面に触れることで、入力する文字などを選択することができる。また、図２２に示すように、アンテナ１０６は、携帯端末装置１００に取り外しできる構成をしている。ユーザは、このアンテナ１０６を取り外してタッチパネルの入力ペンとして使用することができる。アンテナ１０６を取り外しても、携帯端末装置１００は、ネットワーク側との通信ができなくなる訳ではなく、アンテナ１０６以外に携帯端末装置１００が備える内蔵アンテナにより通信は行うことができる。
【００７１】
なお、本実施の形態は、携帯端末装置１００が折り畳み式であるものとして説明してきたが、下部筐体と上部筐体とが回動自在に連結される構成としてもよい。この場合、画面の切替は、以下のように行われる。状態検知部１２５は、携帯端末装置１００の下部筐体と上部筐体とが重なっている状態であるか、又は、下部筐体と上部筐体とのなす角が略１８０度の状態であるかを検知し、検知結果を端末状態情報として切替部１２６に与える。切替部１２６は、状態検知部１２５から受け取る端末状態情報に応じて、表示部１０４、下部表示部１１２、上部表示部１１３、又は、下部表示部１１２及び上部表示部１１３などのバリエーションの中で、制御部１２７から与えられる文字又は画像などを表示する場所としての表示画面を切り替える。
【００７２】
また、本実施の形態の携帯端末装置１００は、下部筐体と上部筐体とが一体として１つの筐体とする態様とし、キー操作部又はカーソルボタンに所定の操作を施すことにより、制御部１２７に画面を切り替えるための画面切替信号が与えられ、切替部１２６が制御部１２７から受け取る画面切替信号に応じて画面の切替を行う構成としてもよい。
【産業上の利用可能性】
【００７３】
本発明は、表示画面の大型化、操作部の操作性の向上を実現する携帯端末装置として有用である。
【図面の簡単な説明】
【００７４】
【図１】本発明の一実施の形態に係る携帯端末装置を折り畳んだ状態を示す平面図
【図２】携帯端末装置を折り畳んで横から見た状態を示す平面図
【図３】携帯端末装置を開いた状態で図２において内側に隠れた面を示した平面図
【図４】携帯端末装置を開いた状態で横から見た状態を示す平面図
【図５】携帯端末装置を開いた状態で図３とは反対側から見た時の状態を示した平面図
【図６】携帯端末装置を開いた時に２つの表示部に最初に表示される画面の一例を示す図
【図７】携帯端末装置の構成を示すブロック図
【図８】カーソルボタンの操作方向の制御部による制御を説明するための図
【図９】メールモードを選択した時の画面構成を示す図
【図１０】図９の画面において新規メールの作成を選択した時に現れる画面構成を示す図
【図１１】図９の画面において受信メールチェックを選択した時に現れる画面構成を示す図
【図１２】図６の画面において映像モードを選択した時の画面構成を示す図
【図１３】図１２の画面においてＴＶ放送受信を選択した時に現れる画面構成を示す図
【図１４】図６の画面においてカメラモードを選択した時の画面構成を示す図
【図１５】図１４の画面において文字入力を選択した時に現れる画面構成を示す図
【図１６】図６の画面においてＷＥＢモードを選択した時の画面構成を示す図
【図１７】映像閲覧モードの画面構成を示した図
【図１８】映像閲覧モードの他の画面構成を示した図
【図１９】映像閲覧モードの他の画面構成を示した図
【図２０】映像閲覧モードの他の画面構成（パノラマ表示）を示した図
【図２１】カーソルボタンの操作方向の制御部による制御を説明するための図
【図２２】携帯端末装置が備えるアンテナの機能を説明するための図
【符号の説明】
【００７５】
１０１  キー操作部
１０２  マイク
１０３  カーソルボタン
１０４  表示部
１０５  スピーカ
１０６  アンテナ
１０８  下部筐体
１０９  上部筐体
１１１  接続部
１１２  下部表示部
１１３  上部表示部
１２１  カーソルボタン表示
１２２  モード選択表示
１２５  状態検知部
１２６  切替部
１２７  制御部
１２８  送信部
１２９  受信部
１３１、１６１  文字入力ボード
１３２  辞書機能
１４１  受信メール一覧表
１５１  チャネル選択用表示
１７１、１８１  画面モード選択表示
１７２  ズーム部選択矢印
１２７１  画像拡大部
１２７２  パノラマ表示部
【図１】
2005184267.tif 000003
【図２】
2005184267.tif 000004
【図３】
2005184267.tif 000005
【図４】
2005184267.tif 000006
【図５】
2005184267.tif 000007
【図６】
2005184267.tif 000008
【図７】
2005184267.tif 000009
【図８】
2005184267.tif 000010
【図９】
2005184267.tif 000011
【図１０】
2005184267.tif 000012
【図１１】
2005184267.tif 000013
【図１２】
2005184267.tif 000014
【図１３】
2005184267.tif 000015
【図１４】
2005184267.tif 000016
【図１５】
2005184267.tif 000017
【図１６】
2005184267.tif 000018
【図１７】
2005184267.tif 000019
【図１８】
2005184267.tif 000020
【図１９】
2005184267.tif 000021
【図２０】
2005184267.tif 000022
【図２１】
2005184267.tif 000023
【図２２】
2005184267.tif 000024